(57)【要約】      （修正有）【課題】インターネットを介した遠隔制御と無線信号による直接制御とを切替可能で、不正アクセスを防ぐことができる、携帯電話による機器の遠隔制御システムの提供。【解決手段】携帯電話などの情報端末５に、ユーザの操作・入力に応じて、機器制御命令を無線信号で直接的に機器１に送信する直接機器制御部５２と、インターネット経由で宅外制御サーバー６に接続し、インターネット経由で機器１を制御する遠隔機器制御部５５を設ける。これにより、ユーザが、情報端末５から無線信号で直接的に機器制御する方法と、インターネットを介して機器制御をする方法のどちらを利用するかを選択することができる。また、情報端末５に電気錠制御装置４と認証通信を行う電気錠認証部５３を設けることにより、認証結果を機器の制御方法の切替に利用でき、入室した場合は情報端末５からの直接制御、外出した場合はインターネット経由の制御と切り替えることができる。【選択図】図１
2008124960.tif 000002
【特許請求の範囲】
【請求項１】
無線信号により外部から制御される機器と、
インターネットなどの通信回線と接続して機器制御に関する電文を受信し、前記電文に応じて前記機器と無線信号で通信し制御する宅外制御装置と、
インターネットなどの通信回線で情報端末および前記宅外制御装置と接続して、ユーザが情報端末で入力した機器制御に関する指示を受信し、前記指示を電文として前記宅外制御装置へ送信する宅外制御サーバーと、
を備えた遠隔機器制御システムにおいて、
前記情報端末は、
ユーザの操作・入力に応じて、前記機器制御に関する電文を前記機器に無線信号で送信する直接機器制御部と、
前記通信回線を経由して前記宅外制御サーバーに接続し、前記ユーザの操作・入力から機器制御に関する指示を取得して、前記宅外制御サーバーへ送信する遠隔機器制御部と、
前記直接機器制御部と前記遠隔機器制御部のどちらを利用するかをユーザに選択させるユーザインタフェース部、
とを備えた遠隔機器制御システム。
【請求項２】
前記遠隔機器制御システムは、無線信号による通信を用いてユーザ認証を行い、前記ユーザ認証が成功したときに電気錠を解錠すると伴に、ユーザの入室／退室を検出・管理する電気錠制御装置を備え、
前記情報端末に、前記電気錠制御装置と無線信号による通信を行い、前記ユーザ認証の実施およびユーザの入室／退室の検出結果取得を行う電気錠認証部を備え、
前記電気錠認証部は、前記ユーザ認証が失敗した場合、もしくはユーザが退室状態にあるときは、前記直接機器制御部の動作を禁止する、
請求項１記載の遠隔機器制御システム。
【請求項３】
前記遠隔機器制御システムは、無線信号による通信を用いてユーザ認証を行い、前記ユーザ認証が成功したときに解錠すると伴に、ユーザの入室／退室を検出・管理する電気錠制御装置を備え、
前記情報端末に、前記電気錠制御装置と無線信号による通信を行い、前記ユーザ認証の実施およびユーザの入室／退室の検出結果取得を行う電気錠認証部と、
前記ユーザ認証の結果を、認証した日時情報と伴に記憶する認証情報記憶部を備え、
前記ユーザインタフェース部は、前記認証情報記憶部を検索し、所定の期間内に一度も前記ユーザ認証が成功していなければ、前記遠隔機器制御部の動作を禁止する、
請求項１に記載の遠隔機器制御システム。
【請求項４】
前記遠隔機器制御システムは、無線信号による通信を用いてユーザ認証を行い、前記ユーザ認証が成功したときに解錠すると伴に、ユーザの入室／退室を検出・管理する電気錠制御装置を備え、
前記情報端末に、前記電気錠制御装置と無線信号による通信を行い、前記ユーザ認証の実施およびユーザの入室／退室の検出結果取得を行う電気錠認証部を備え、
前記ユーザインタフェース部は、前記電気錠認証部において前記ユーザ認証の成功とユーザの入室の両方が確認されたときに前記機器制御を前記直接機器制御部による制御に切替え、前記ユーザ認証の失敗時や退室時は前記遠隔機器制御部による制御に切り替える、
請求項１記載の遠隔機器制御システム。
【請求項５】
無線信号により外部から制御される機器と、インターネットなどの通信回線と接続して機器制御に関する電文を受信し、前記電文に応じて前記機器と無線信号で通信し制御する宅外制御装置と、ユーザが情報端末で入力した機器制御に関する指示を受信し、前記指示を
電文として前記宅外制御装置へ送信する宅外制御サーバーとを、通信回線で接続する遠隔機器制御システムの制御方法において、
前記情報端末は、
ユーザの操作・入力に応じて、前記機器制御に関する電文を前記機器に無線信号で送信するステップと、
前記通信回線を経由して前記宅外制御サーバーに接続し、前記ユーザの操作・入力から機器制御に関する指示を取得して、前記宅外制御サーバーへ送信するステップと、
前記直接機器制御部と前記遠隔機器制御部のどちらを利用するかをユーザに選択させるステップ、
とを備えた遠隔機器制御システムの制御方法。
【請求項６】
請求項１〜４に記載の遠隔機器制御システムの少なくとも一部をコンピュータに実現させるためのプログラム。
【発明の詳細な説明】
【技術分野】
【０００１】
本発明は、携帯電話などの情報端末を利用して電気錠や機器の制御を行う遠隔機器制御システム、その制御方法およびプログラムに関するものである。
【背景技術】
【０００２】
従来、この種の遠隔機器制御システムは、例えば特許文献１のような構成が多い。図８は、この従来システムの概略構成を示すものである。
【０００３】
図８では、ユーザの宅内に機器１０１、電気錠１０２、ホームゲートウェイ１０３が設置されている。機器１０１は照明やエアコンなどの一般の家庭用機器であり、ホームゲートウェイ１０３は、機器１０１および電気錠１０２を宅外から制御させるための装置である。宅外制御サーバー１０５は、携帯電話１０４でユーザから入力された機器制御指示を受信して、ホームゲートウェイ１０３へインターネット経由で送信するＡＳＰサーバーである。
【０００４】
ユーザは、携帯電話１０４から宅外制御サーバー１０５にアクセスし、機器制御の指示を入力する。宅外制御サーバー１０５は、インターネット経由の通信によりホームゲートウェイ１０３に機器制御指示を転送し、ホームゲートウェイ１０３はその情報を宅内通信用に変換して機器１０１や電気錠１０２へ送信する。これにより携帯電話１０４からの制御指示が機器１０１、電気錠１０２に送信され、遠隔制御可能となる。
【０００５】
特に、特許文献１では、電気錠１０２におけるユーザの外出操作や帰宅操作をホームゲートウェイ１０３へ通信し、その情報を宅外制御サーバー１０５経由で携帯電話１０４に表示させることが記載されている。
【０００６】
また、特許文献２は、携帯電話から機器を直接制御する構成が記載されている。
【特許文献１】特開２００６−２０３５１５号公報
【特許文献２】国際公開第２００４／０８６３２８号パンフレット
【発明の開示】
【発明が解決しようとする課題】
【０００７】
しかしながら、前記した従来の構成では、下記の課題があった。
【０００８】
（１）ユーザが宅内に居る場合でも、携帯電話で機器制御をしようとすると通信回線を経由した制御が必要となり、通信費用がかかる。
【０００９】
（２）携帯電話から無線信号を用いて機器を直接制御をする場合、従来例のようなインターネットを介した遠隔制御との切替が必要であり、さらに直接制御時における機器への不正アクセスを防ぐ必要がある。
【００１０】
なお、上記した特許文献２では、直接制御時の不正アクセスを防ぐため、携帯電話と機器の間で認証通信を行っている。しかし、携帯電話と各機器それぞれが、認証通信を行うため効率が悪いという課題もあった。
【課題を解決するための手段】
【００１１】
前記従来の課題を解決し、携帯電話などの情報端末を用いた遠隔機器制御をセキュアに行うため、情報端末に、ユーザの操作・入力に応じて、機器に制御命令を無線信号で直接
的に送信する直接機器制御部と、インターネットなどの通信回線を経由して宅外制御サーバーに接続し、ユーザの操作・入力から機器制御に関する指示を取得して、宅外制御サーバーへ送信する遠隔機器制御部を設ける。
【００１２】
これにより、ユーザが、携帯電話から無線信号で直接的に機器制御する方法と、インターネットを介して機器制御をする方法のどちらを利用するかを選択することができる。
【００１３】
また、携帯電話などの情報端末に電気錠と認証通信を行う電気錠認証部を設けることにより、電気錠での認証結果を機器の遠隔制御方法の切替に利用できる。これにより、入室した場合は、携帯電話からの直接制御、外出した場合はインターネット経由の制御と切り替えることができる。また、電気錠での認証結果が所定の条件を満たさないと、機器の遠隔制御ができないようにすることで、よりセキュアな遠隔制御が可能となる。
【発明の効果】
【００１４】
本発明を用いることにより、下記の効果が生まれる。
【００１５】
（１）ユーザが、携帯電話などの情報端末から無線信号で直接的に機器制御する方法と、インターネットを介して機器制御をする方法のどちらを利用するかを選択することができる。これにより、ユーザが宅内に居る場合は直接制御を用いるなど、さまざまな使い方が可能になる。
【００１６】
（２）携帯電話などの情報端末と電気錠制御装置が認証通信を行うことにより、認証結果を遠隔機器制御方式の切替に利用できる。例えば、情報端末からの機器制御を、入室時は無線信号で直接的に機器制御を行う方式、退室時にはインターネットを介した機器制御による方式に自動的に切り替えることができ、利便性が高まる。また、認証通信は情報端末と電気錠制御装置の間だけで行うので、各機器と行う方式と比べて効率が良い。
【００１７】
（３）また、電気錠制御装置との認証通信が失敗しているときに、情報端末からの直接制御を禁止することや、所定期間内に一度も電気錠制御装置との認証が成功していない情報端末からの機器制御を禁止するなどすることにより、情報端末からの機器制御をよりセキュアにすることができる。
【発明を実施するための最良の形態】
【００１８】
第１の発明は、無線信号により外部から制御される機器とインターネットなどの通信回線と接続して機器制御に関する電文を受信し、電文に応じて機器と無線信号で通信し制御する宅外制御装置と、インターネットなどの通信回線で情報端末および宅外制御装置と接続して、ユーザが情報端末で入力した機器制御に関する指示を受信し、制御指示を電文として宅外制御装置へ送信する宅外制御サーバーを備えた遠隔機器制御システムにおいて、情報端末は、ユーザの操作・入力に応じて、機器制御に関する電文を機器に無線信号で送信する直接機器制御部と、インターネット経由で宅外制御サーバーに接続し、ユーザの操作・入力から機器制御に関する指示を取得して、宅外制御サーバーへ送信する遠隔機器制御部と、直接機器制御部と遠隔機器制御部のどちらを利用するかをユーザに選択させるユーザインタフェース部を備える。
【００１９】
これにより、ユーザが、携帯電話などの情報端末から無線信号で直接的に機器制御する方法と、インターネットを介して機器制御をする方法のどちらを利用するかを選択することができる。これにより、ユーザが宅内に居る場合は直接制御を用いるなど、さまざまな使い方が可能になり、利便性が向上する。
【００２０】
第２の発明は、第１に発明において、無線信号による通信を用いてユーザ認証を行い、
ユーザ認証が成功したときに解錠すると伴に、ユーザの入室／退室を検出・管理する電気錠制御装置を設け、情報端末に、電気錠制御装置と無線信号による通信を行い、ユーザ認証の実施およびユーザの入室／退室の検出結果取得を行う電気錠認証部を備え、電気錠認証部は、ユーザ認証が失敗した場合、もしくはユーザが退室状態にあるときは、直接機器制御部の動作を禁止する。
【００２１】
これにより、ユーザ認証ができてない不正な情報端末からの直接制御や、宅外からの機器の直接制御を防ぐことができ、よりセキュアな遠隔制御が実現できる。
【００２２】
第３の発明は、第１の発明において、無線信号による通信を用いてユーザ認証を行い、ユーザ認証が成功したときに解錠すると伴に、ユーザの入室／退室を検出・管理する電気錠制御装置を設け、情報端末に、電気錠制御装置と無線信号による通信を行い、ユーザ認証の実施およびユーザの入室／退室の検出結果取得を行う電気錠認証部と、ユーザ認証の結果を、認証した日時情報と伴に記憶する認証情報記憶部を備え、ユーザインタフェース部は、認証情報記憶部を検索し、所定の期間内に一度もユーザ認証が成功していなければ、遠隔機器制御部の動作を禁止する。
【００２３】
これにより、インターネットなどの通信回線を用いた遠隔制御においても、電気錠におけるユーザ認証履歴を用いることで、遠隔機器制御をよりセキュアにすることができる。
【００２４】
第４の発明は、第１の発明において、無線信号による通信を用いてユーザ認証を行い、ユーザ認証が成功したときに解錠すると伴に、ユーザの入室／退室を検出・管理する電気錠制御装置を設け、情報端末に、電気錠制御装置と無線信号による通信を行い、ユーザ認証の実施およびユーザの入室／退室の検出結果取得を行う電気錠認証部を備え、ユーザインタフェース部は、電気錠認証部においてユーザ認証の成功と入室の両方が確認されたときに機器制御を直接機器制御部による制御に切替え、ユーザ認証の失敗時や退室時は遠隔機器制御部による制御に切り替える。
【００２５】
これにより、例えば、情報端末からの機器制御を、入室時は無線信号で直接的に機器制御を行う方式、退室時にはインターネットを介した遠隔機器制御による方式に自動的に切り替えることができ、ユーザの利便性を高めることができる。
【００２６】
第５の発明は、無線信号により外部から制御される機器と、前記機器制御に関する電文を受信し、前記電文に応じて前記機器と無線信号で通信し制御する宅外制御装置と、ユーザが情報端末で入力した機器制御に関する指示を受信し、前記指示を電文として前記宅外制御装置へ送信する宅外制御サーバーとを、通信回線で接続する遠隔機器制御システムの制御方法において、前記情報端末は、ユーザの操作・入力に応じて、前記機器制御に関する電文を前記機器に無線信号で送信するステップと、前記通信回線を経由して前記宅外制御サーバーに接続し、前記ユーザの操作・入力から機器制御に関する指示を取得して、前記宅外制御サーバーへ送信するステップと、前記直接機器制御部と前記遠隔機器制御部のどちらを利用するかをユーザに選択させるステップ、とを備えた遠隔機器制御システムの制御方法である。
【００２７】
これにより、ユーザが、携帯電話などの情報端末から無線信号で直接的に機器制御する方法と、インターネットを介して機器制御をする方法のどちらを利用するかを選択することができる。これにより、ユーザが宅内に居る場合は直接制御を用いるなど、さまざまな使い方が可能になり、利便性が向上する。
【００２８】
第６の発明は、第１〜第４のいずれか１つの発明に記載の遠隔機器制御システムの少なくとも一部をコンピュータに実現させるためのプログラムである。プログラムであるので
電気・情報機器、コンピュータ等のハードリソースを協働させて用いて本発明の機能の一部あるいは全部を容易に実現することができる。また、記録媒体に記録したり通信回線を用いてプログラムを配信したりすることでプログラムの配布やインストール作業が簡単にできる。
【００２９】
以下、本発明の実施の形態について、図面を参照しながら説明する。なお、本実施の形態によって本発明が限定されるものではない。
【００３０】
（実施の形態１）
図１は、本発明の第１の実施の形態におけるシステム構成を示した図である。まず、各部の構成を順に説明する。
【００３１】
機器１は家庭やオフィスなどに設置された機器であり、具体的には照明機器やエアコンなどの空調機器である。これらは、無線信号で他から遠隔制御可能なものとする。無線信号としては、特定小電力無線などの電波信号や、赤外線などの光信号がある。本実施の形態では、電波による無線信号により、これらの機器が遠隔制御されるものとする。遠隔制御の内容は、単純な機器のオン・オフの切替でも良いし、照明機器の光量設定やエアコンの温度設定などの設定値でも良い。なお、機器１は照明機器やエアコンとしたが、電子レンジ、洗濯機などの白物機器、テレビ・ビデオなどのＡＶ機器、給湯器、床暖房機などの設備機器であってもよい。
【００３２】
宅外制御装置２は、インターネットなどの通信回線を介して宅外制御サーバー６と接続しており、機器制御に関する電文を受信して、無線信号で対応する機器１に制御電文を送信し、機器１を制御する。一般に、インターネット上の通信はＴＣＰ／ＩＰなどのプロトコルで行われることが多いが、宅内の無線通信はＴＣＰ／ＩＰで行われないことも多い。この場合、宅外制御サーバー６はプロトコルを変換するゲートウェイとしても動作する。
【００３３】
回線接続装置３は、モデム、ルータ、回線終端装置などで構成されている。これは、宅外制御装置２をインターネットへ接続させるための装置である。回線接続装置３は、回線の種類によって構成が異なる。たとえば、ＡＤＳＬ回線の場合、ＡＤＳＬモデム＋ルータのような構成になる。また、このようなモデム機能を宅外制御装置２が構成の一部として自分で持つ場合や、ＬＡＮ回線が宅内に直接来ている場合など、回線接続装置３が必要で無い場合もある。
【００３４】
電気錠制御装置４は、玄関などのドアなどに設置され、電気的にドアの施錠・解錠を行うものである。電気錠制御装置４も機器１と同様に無線信号で制御可能とする。具体的には、情報端末５と無線信号により通信を行ってユーザ認証を行い、認証が成功すれば解錠するなどの制御を行う（なお、ユーザ認証時に暗号通信を行う場合は、暗号・復号機能を持つ）。また、ユーザが宅外／宅内のどちらのノブがひねるか等を検出することにより、ユーザの入室／退室を検出し、その識別情報を情報端末５へ送信する。
【００３５】
情報端末５は、携帯電話、ＰＤＡ、ノートパソコンなどの端末であり、本実施の形態では、本来の通話機能や情報処理機能以外に、以下の６つの機能を有する。
【００３６】
（１）機器１や電気錠制御装置４に対して無線信号を直接的に送受信する無線通信部５１。具体的には、無線信号を送受信するための物理デバイスや、その制御回路から構成される。
【００３７】
（２）ユーザから入力された機器制御に関する指示を無線の機器制御電文に変換し、無線通信部５１を制御して機器１や電気錠制御装置４へ送信する直接機器制御部５２。機器
１や電気錠制御装置４からの応答の受信や再送処理などもここで行う。
【００３８】
（３）あらかじめ設定されたユーザＩＤ（ユーザ毎にユニークなＩＤ）を利用して、電気錠制御装置４と無線信号により認証通信を行う電気錠認証部５３。ユーザの操作により、電気錠認証部５３は、暗号化されたユーザＩＤを電気錠制御装置４へ送信する。また、電気錠制御装置４から返信される認証結果情報と、ユーザの入室／退室の識別情報（入退室情報）の受信を行う。
【００３９】
（４）電気錠制御装置４から返信されるユーザ認証の成否情報、入室／退室の識別情報（入退室情報）を、日時情報とあわせて記憶する認証情報記憶部５４。
【００４０】
（５）インターネットなどの通信回線を用いて宅外制御サーバー６にアクセスし、
（Ａ）機器制御用のコンテンツの取得とユーザインタフェース部５６での表示、
（Ｂ）表示コンテンツに対して、ユーザが入力した機器制御に関する指示情報の取得、
（Ｃ）取得した機器制御に関する指示情報の宅外制御サーバー６に送信、を行う遠隔機器制御部５５。
【００４１】
遠隔機器制御部５５は、具体的にはＷＥＢブラウザで構成されている。宅外制御サーバー６上のコンテンツ（ＨＴＭＬファイル、スクリプト、画像、音声、Java（登録商標）アプリなど）を取得して、ユーザに対して表示し、それに対するユーザの操作・入力を取得することで機器制御に関する指示を得る。
【００４２】
（６）直接機器制御部５２での機器制御画面の表示、電気錠認証部５３での認証開始の指示および画面表示、遠隔機器制御部５５でのコンテンツ表示と、それぞれに対するユーザの入力・操作の検出を行うユーザインタフェース部５６。ユーザインタフェース部５６は、液晶などの表示デバイス、押しボタンやタッチパネルなどの入力デバイス、メニュー画面の表示や各機能（直接機器制御部５２、電気錠認証部５３、遠隔機器制御部５５）の起動や停止をつかさどる制御回路から構成される。
【００４３】
宅外制御サーバー６は、情報端末５に対して機器制御用のコンテンツを提供し、それに対してユーザが入力した内容（機器制御指示）を受信して、対応する機器制御電文を対応する宅外制御装置２へ送信する機能をもつサーバーである。宅外制御サーバー６は、具体的には、ＷＥＢサーバーにより構成される。ＷＥＢサーバーには、上述した機器制御用のコンテンツ（ＨＴＭＬファイル、スクリプト、画像、音声、Java（登録商標）アプリなど）と、ユーザから入力された機器制御指示を電文に変換して宅外制御装置２へ送信するためのサーバー側プログラム（ＣＧＩ、サーブレットなど）が格納される。
【００４４】
以上のように構成された本システムの動作例を、図２および図３のフローチャートにしたがって説明する。
【００４５】
図２は、情報端末５による電気錠の解錠動作を示したフローチャートである。
【００４６】
本発明では、情報端末５と電気錠制御装置４が無線信号により直接通信を行いユーザ認証を行う。情報端末５からの遠隔機器制御の前の手続きとして、まず、この解錠動作の説明を行う。
【００４７】
（ステップＡ１）ユーザが情報端末５を持ち、無線信号が届く距離までドアに近づき、情報端末５中のユーザインタフェース部５６を操作し、電気錠認証部５３を起動させる。ユーザインタフェース部５６の操作としては、単純な押しボタンでも良いし、電気錠制御用の画面を情報端末５に表示させ、それに対して入力させても良い。
【００４８】
（ステップＡ２）起動した電気錠認証部５３は、無線通信部５１を制御して、ユーザＩＤ情報を電気錠制御装置４へ無線信号で送信する。ユーザＩＤは、ユーザ毎にユニークなＩＤ情報であり、あらかじめ電気錠認証部５３に登録しておく必要がある。また、ここでのユーザＩＤは、暗号化して電気錠制御装置４へ送信する。
【００４９】
（ステップＡ３）電気錠制御装置４は、ステップＡ２で情報端末５から送信されたユーザＩＤ情報を受信し、事前に登録してあるユーザＩＤと比較することにより認証処理を行う。なお、受信したユーザＩＤ情報が暗号化されているので、一旦復号してから、事前に登録したユーザＩＤと比較を行う。
【００５０】
（ステップＡ４）受信したユーザＩＤが、事前に登録したユーザＩＤの中に存在すれば、ユーザ認証に成功したものとして、ステップＡ５に分岐する。また、受信したユーザＩＤが登録したユーザＩＤ中に存在しなければ、ユーザ認証に失敗したものとして、ステップＡ７へ分岐する。
【００５１】
（ステップＡ５）ユーザ認証に成功した場合、電気錠制御装置４はドアの解錠を行う。
【００５２】
（ステップＡ６）解錠後、ユーザは所定時間内にドアを開け、入室する。退室時にも認証通信を行うので、電気錠制御装置４は、ユーザが入室したか／退室したかの検出を行う。これは、ドアのノブが外側・内側のどちら側からひねられたかを検出することで識別可能である。
【００５３】
（ステップＡ７）電気錠制御装置４は、入室／退室の検出後、ステップＡ３で行ったユーザ認証の成否と、入退室情報（ステップＡ６で実施した入室か退室かの検出結果）を、情報端末５へ送信する。なお、退室時に認証通信を行なわず、内から外へ出る場合は無条件で解錠する場合には、内側からノブがひねられ解錠した時点で、電気錠制御装置４から情報端末５へ退室したという情報を送信する。この場合、認証結果は入室時のものが、情報端末５中に保持される。
【００５４】
（ステップＡ８）情報端末５中の無線通信部５１は、この認証結果情報と入退室情報を受信して、認証情報記憶部５４へ出力する。認証情報記憶部５４は、受信時点の日時情報とこれらの情報をあわせて記憶する。
【００５５】
以上の動作により、情報端末５からユーザＩＤを電気錠制御装置４に無線信号で直接送信することにより、電気錠制御装置４の制御が可能となり、電気錠での認証結果や入退室情報を情報端末に蓄えることができる。
【００５６】
次に、図３のフローチャートを用いて、情報端末５からの機器制御動作を説明する。
【００５７】
（ステップＢ１）ユーザが携帯電話などの情報端末５を操作することにより、ユーザインタフェース部５６は、図４（Ａ）のような画面を表示する。図４（Ａ）はメニュー画面であり、そのメニュー項目の中に含まれる「４．宅内リモコン」が直接機器制御部５２による制御、「５．宅外リモコン」が遠隔機器制御部５５によるインターネットを介した制御に、それぞれ対応する。
【００５８】
（ステップＢ２）ユーザは機器制御を行うときに、表示した画面から「４．宅内リモコン」もしくは「５．宅外リモコン」のどちらかを選択する。
【００５９】
（ステップＢ３）ユーザの選択が「４．宅内リモコン」の場合はステップＢ４へ分岐し
、「５．宅外リモコン」の場合はステップＢ１０へ分岐する。
【００６０】
（ステップＢ４）ユーザが「４．宅内リモコン」を選んだ場合、ユーザインタフェース部５６は、電気錠認証部５３を起動させる。電気錠認証部５３は、認証情報記憶部５４に記憶されている情報（直近の認証情報の成否、入退室情報）を取得し、ユーザ認証が成功して、かつ、入室状態であるかどうかを確認する。
【００６１】
（ステップＢ５）確認結果から処理を分岐させる。ユーザ認証が成功し入室状態であればステップＢ７へ進み、ユーザ認証が失敗しているか、もしくは、退室状態であれば、ステップＢ６へ進む。
【００６２】
（ステップＢ６）ユーザ認証が失敗しているか、もしくは、退室状態であるため、セキュリティ上、情報端末５からの直接制御は許されない。したがって、電気錠認証部５３は、直接機器制御部５２の動作を禁止し、ユーザインタフェース部５６はユーザに対して図４（Ｂ’−１）のようなエラー画面を表示する。
【００６３】
（ステップＢ７）ユーザ認証が成功し、入室状態であるため、電気錠認証部５３は、直接機器制御部５２を起動させる。直接機器制御部５２は、ユーザインタフェース部５６を用いて、ユーザに対して図４（Ｂ−１）のような制御する機器を選択させる機器メニュー画面、そして、（Ｂ−２）のような機器動作指示の入力画面を表示させる。
【００６４】
（ステップＢ８）ユーザの入力操作に応じて、無線通信部５１を制御して、対象となる機器１に無線信号で機器制御電文を送信する。図４（Ｂ−２）の例では、ユーザが「冷房ＯＮ」という制御指示を選択しており、「送信」ボタンが押されたときに、直接機器制御部５２は、無線通信部１を制御して、「冷房ＯＮ」に対応する機器制御電文を無線により機器１へ送信する。
【００６５】
（ステップＢ９）機器１は、上記ステップＢ８で直接機器制御部５２から送信された機器制御電文を受信して、その内容に応じて動作を変更する。以上のステップＢ４からステップＢ９までの動作が、直接制御の動作である。
【００６６】
（ステップＢ１０）ユーザがステップＢ３の選択で「５．宅外リモコン」を選んだ場合の動作である。ユーザインタフェース部５６は、認証情報記憶部５４にアクセスして、所定の期間内（例えば最近１ヶ月など）に、情報端末５が電気錠制御装置４と正しく認証できたかどうかを確認する。ステップＡ８で説明したように、認証情報記憶部５４にはユーザ認証の結果が日時情報と伴に格納されているため、この情報から所定期間内に認証が成功したかどうかを判断できる。
【００６７】
（ステップＢ１１）ステップＢ９での確認結果に応じて処理を分岐させる。所定期間内に認証が成功している場合はステップＢ１３へ進み、そうでなければステップＢ１２へ分岐する。
【００６８】
（ステップＢ１２）所定期間内に一度も情報端末５と電気錠制御装置４の間で認証が成功していないので、不正なユーザがアクセスしている可能性が高い。この場合、ユーザインタフェース部５６は遠隔機器制御部５５の動作を禁止し、図４（Ｃ’−１）のような表示を行う。本発明を用いることで、電気錠の認証履歴情報を利用して、不正ユーザからの遠隔制御を回避することができる。
【００６９】
（ステップＢ１３）所定期間内に、情報端末５と電気錠制御装置４の間で認証が成功している場合であり、この場合、ユーザインタフェース部５６は、遠隔機器制御部５４を起
動する。遠隔機器制御部５４はインターネットを経由して宅外制御サーバー６に接続する。
【００７０】
（ステップＢ１４）遠隔機器制御部５４は、接続した宅外制御サーバー６から、機器制御用のコンテンツを取得し、ユーザインタフェース部５６に表示させる。遠隔制御制御部５４はＷＥＢブラウザから構成されており、宅外制御サーバー６から取得したＨＴＭＬファイルや画像などを表示する。この画面での入力は、ＨＴＴＰプロトコルにより宅外制御サーバー６中のサーバー側アプリケーション（ＣＧＩなど）に渡される。ここでの、表示例を図４（Ｃ−１）〜（Ｃ−３）に示す。ユーザは、（Ｃ−１）の画面ではＩＤ／パスワードによるユーザ認証を行い、（Ｃ−２）の画面では制御する機器の選択、そして（Ｃ−３）の画面で制御指示を入力する。
【００７１】
（ステップＢ１５）ステップＢ１４での表示に対し入力されたユーザの機器制御指示は宅外制御サーバー８で機器制御用の電文に変換し、インターネット経由で宅外制御装置２へ送信する。
【００７２】
（ステップＢ１６）宅外制御装置２は、宅外制御サーバー６からの電文を受信し、電文の内容から、どの機器１へ送信するかを判断して、機器制御電文を送信する。
【００７３】
（ステップＢ１７）ステップＢ９と同様に、機器制御電文を受信して、その内容に応じて動作を変更する。なお、情報端末５からの機器制御電文と宅外制御装置２からの機器制御電文は、同じ電文フォーマット、同じ電文種別を用いる。したがって、機器１は、情報端末５からも、宅外制御装置２からも制御可能である。
【００７４】
以上のステップＢ１０〜ステップＢ１７までの動作により、インターネットを介した遠隔機器制御が可能となる。
【００７５】
以上のようなステップＢ１〜Ｂ１７の動作により、携帯電話などの情報端末５から無線信号で直接的に機器制御する方法と、インターネットを介して遠隔機器制御をする方法のどちらを利用するかを、ユーザが選択することができる。
【００７６】
これにより、ユーザが宅内に居る場合は直接制御を用いるなど、さまざまな使い方が可能になる。
【００７７】
また、電気錠制御装置４との認証通信が失敗しているときに情報端末５からの直接制御を禁止することや、所定期間内に一度も電気錠制御装置４との認証が成功していない情報端末５からの機器制御を禁止するなどすることにより、情報端末からの機器制御をよりセキュアにすることができる。
【００７８】
なお、上記した図３のステップＢ１〜Ｂ１７の動作では、無線信号による直接制御と、インターネットを介した遠隔制御をユーザが選択したが、これを電気錠制御装置４との認証結果により自動的に切り替えるようにしても良い。この場合の動作を図５のフローチャートで示す。図５のステップＣ１〜Ｃ３が図３と異なるところであり、他のステップは共通である。順に説明する。
【００７９】
（ステップＣ１）ステップＢ１と同様にユーザインタフェース部５６が、ユーザに対してメニュー画面を表示する。このメニュー画面の例を図６（Ａ’）に示す。図４（Ａ）と異なり、自動的に無線信号による直接制御と、インターネットを介した遠隔制御を切り替えるため、機器制御に対応するメニューは「５．リモコン」のひとつになっている、機器制御を開始するため、ユーザは「５．リモコン」を選択する。
【００８０】
（ステップＣ２）ユーザの選択後、ステップＢ４と同様に、ユーザインタフェース部５６は、電気錠認証部５３を起動させる。電気錠認証部５３は、認証情報記憶部５４に記憶されている情報（直近の認証情報の成否、入退室情報）を取得し、ユーザ認証が成功して、かつ、入室状態であるかどうかを確認する。
【００８１】
（ステップＣ３）確認結果に応じて、ユーザ認証が成功していて入室した場合は、ステップＢ７に進み、図３で説明したように、直接機器制御部５２を用いて、無線信号で機器１へ直接、機器制御電文を送信する。ユーザ認証が失敗した場合や、退室している場合は、ステップＢ１０に進み、遠隔機器制御部５５を用いてインターネットを経由の遠隔制御を行う。
【００８２】
このステップＣ３での切替動作により、情報端末１での画面遷移は図６のようになる。「５．リモコン」を選択した後は、電気錠制御装置４との通信結果に応じて、（Ｂ−１）（Ｃ−１）あるいは（Ｃ’−１）へ状況に応じて遷移する。
【００８３】
この方式は、図３の例と比較して、ユーザが遠隔機器制御方式を選択する必要が無いため、操作が簡単になり利便性が向上するというメリットがある。なお、図５のフローチャートのステップＢ７〜Ｂ１７は、図３と同一の動作であるため、説明を省略する。
【００８４】
なお、上記実施の形態で説明した機器１の構成は、図７のような構成でもかまわない。本実施の形態では、機器１は情報端末５や宅外制御装置２と無線通信を行うとしている。しかし、無線通信ができる機器（照明、エアコンなど）は、一般には少ないため、図７のように、無線通信を行う機器側無線通信部１１を機器１の外付けのアダプタとして接続しても良い。この場合、機器側無線通信部１１は、情報端末１や宅外制御装置２と無線信号の通信をするとともに、機器１に対して有線通信を行う。無線通信部分と有線通信部分は通信プロトコルが異なるので、機器側無線通信部１１はプロトコル変換を行うゲートウェイとしても動作する。
【００８５】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００８６】
以上のように、本発明は、携帯電話などの情報端末を用いて、セキュアに宅内機器を遠隔制御できる。これは、実施の形態で説明したエアコンや照明などの家電機器だけでなく、給湯器、床暖房機などの設備機器やＯＡ機器、ＡＶ機器などにも適用できる。
【図面の簡単な説明】
【００８７】
【図１】本発明の実施の形態１のシステム構成を示す図
【図２】本発明の実施の形態１における解錠時の動作を示すフローチャート
【図３】本発明の実施の形態１における機器制御時の動作を示すフローチャート
【図４】本発明の実施の形態１における情報端末での表示例を示す図
【図５】本発明の実施の形態１における別の機器制御時の動作を示すフローチャート
【図６】本発明の実施の形態１における別の情報端末での表示例を示す図
【図７】本発明の実施の形態１における機器１の構成例を示す図
【図８】従来例の構成を示す図
【符号の説明】
【００８８】
１  機器
２  宅外制御装置
３  回線接続装置
４  電気錠制御装置
５  情報端末
６  宅外制御サーバー
１１  機器側無線通信部
５１  無線通信部
５２  直接機器制御部
５３  電気錠認証部
５４  認証情報記憶部
５５  遠隔機器制御部
５６  ユーザインタフェース部
【図１】
2008124960.tif 000003
【図２】
2008124960.tif 000004
【図３】
2008124960.tif 000005
【図４】
2008124960.tif 000006
【図５】
2008124960.tif 000007
【図６】
2008124960.tif 000008
【図７】
2008124960.tif 000009
【図８】
2008124960.tif 000010